(57)【要約】【課題】  部分的な汚れによる外観品質の低下を防止することができるパソコンラックを提供する。【解決手段】  ラック本体１１は、キャスター１２付きの脚部１３と、脚部１３に立設された側部パイプ１４と、脚部１３の後部中央に離間して立設された一対の金属パイプ製の後部パイプ１５とで構成する。後部パイプ１５の中棚部２３より高位置に支持アーム３１を設け、支持アーム３１でボードを支持してディスプレイを載置するディスプレイ載置部３２を設ける。上下に延在した一対の後部パイプ１５に、背板４１を着脱自在に設け、上部に配置された背板４１をディスプレイ載置部３２の裏側に設定する。【選択図】        図２
2005237399.tif 000002
【特許請求の範囲】
【請求項１】
ラック本体に主となる第１載置部が設けられ、該第１載置部の上部に第２載置部が設けられたパソコンラックにおいて、
前記第２載置部の裏側に背板を着脱自在に設けたことを特徴とするパソコンラック。
【請求項２】
ラック本体にディスプレイを載置するディスプレイ載置部が設けられたパソコンラックにおいて、
前記ディスプレイ載置部の裏側に背板を着脱自在に設けたことを特徴とするパソコンラック。
【請求項３】
前記背板の裏面に、コードを巻き付けて保持するコード巻き付け部を設けたことを特徴とする請求項１又は２記載のパソコンラック。
【請求項４】
前記コード巻き付け部を円筒状に形成するとともに、当該コード巻き付け部が設けられた前記背板の表面に、前記コード巻き付け部に適合した円形の窪みを形成したことを特徴とする請求項３記載のパソコンラック。
【請求項５】
前記ラック本体に、上下に延在する一対の金属製のパイプを離間して設け、両パイプ間に、前記背板を架橋した状態で設けたことを特徴とする請求項１から４にいずれか記載のパソコンラック。
【発明の詳細な説明】
【技術分野】
【０００１】
本発明は、パーソナルコンピュータを載置するパソコンラックに関する。
【背景技術】
【０００２】
従来、パーソナルコンピュータ（以下：パソコン）を家庭等で使用する際には、パソコンラックが用いられていた（例えば、特許文献１参照。）。
【０００３】
このパソコンラックには、キーボード等を載置する作業面の上部に、ディスプレイを載置するディスプレイ載置部が設けられており、該ディスプレイ載置部にディスプレイを載置できるように構成されている。
【特許文献１】特開平９−３０８５３０号公報
【発明の開示】
【発明が解決しようとする課題】
【０００４】
しかしながら、このようなパソコンラックにおいては、ディスプレイによってホコリが引き寄せられ、このホコリがディスプレイ載置部の裏面に設けられた背板に付着してしまう。
【０００５】
これにより、背板が汚れ易く、この部分的な汚れによって外観品質が低下するという問題があった。
【０００６】
本発明は、このような従来の課題に鑑みてなされたものであり、部分的な汚れによる外観品質の低下を防止することができるパソコンラックを提供することを目的とするものである。
【課題を解決するための手段】
【０００７】
前記課題を解決するために本発明の請求項１のパソコンラックにあっては、ラック本体に主となる第１載置部が設けられ、該第１載置部の上部に第２載置部が設けられたパソコンラックにおいて、前記第２載置部の裏側に背板を着脱自在に設けた。
【０００８】
すなわち、第２載置部にディスプレイを載置した際には、この第２載置部の裏側に設けられた背板に、ディスプレイで引き寄せられたホコリが付着し易く、当該パソコンラックは、この背板が、他の箇所と比較して、汚れ易い。
【０００９】
そこで、この背板は、着脱自在に設けられており、この背板が汚れた際には、取り外すことができる。これにより、取り外された背板を洗う等することによって、汚れが取り除かれる。
【００１０】
また、本発明の請求項２のパソコンラックにあっては、ラック本体にディスプレイを載置するディスプレイ載置部が設けられたパソコンラックにおいて、前記ディスプレイ載置部の裏側に背板を着脱自在に設けた。
【００１１】
すなわち、ディスプレイ載置部の裏側に設けられた背板には、ディスプレイで引き寄せられたホコリが付着し易く、当該パソコンラックは、この背板が、他の箇所と比較して、汚れ易い。
【００１２】
そこで、この背板は、着脱自在に設けられており、この背板が汚れた際には、取り外すことができる。これにより、取り外された背板を洗う等することによって、汚れが取り除かれる。
【００１３】
さらに、請求項３のパソコンラックにおいては、前記背板の裏面に、コードを巻き付けて保持するコード巻き付け部を設けた。
【００１４】
これにより、パソコンやディスプレイ等のコードは、前記背板の裏面に設けられたコード巻き付け部に巻き付けられた状態で、束ねられて保持される。
【００１５】
さらに、請求項４のパソコンラックでは、前記コード巻き付け部を円筒状に形成するとともに、当該コード巻き付け部が設けられた前記背板の表面に、前記コード巻き付け部に適合した円形の窪みを形成した。
【００１６】
すなわち、円筒状のコード巻き付け部が設けられた背板の表面には、前記コード巻き付け部に適合した円形の窪みが形成されている。このため、前記コード巻き付け部を形成する際に生じる円形のひけを、目立たなくすることができる。
【００１７】
加えて、請求項５のパソコンラックにあっては、前記ラック本体に、上下に延在する一対の金属製のパイプを離間して設け、両パイプ間に、前記背板を架橋した状態で設けた。
【００１８】
すなわち、背板は、ラック本体に設けられた一対の金属製のパイプの間に架橋した状態で設けられており、両パイプを備えたラック本体は、前記背板によって補強される。
【００１９】
また、前記背板にコードを巻き付けた際には、金属製の前記パイプによるシールド効果を得ることができる。これにより、前記コードへのノイズの混入を防止することができる。
【発明の効果】
【００２０】
以上説明したように、本発明の請求項１又は２のパソコンラックにあっては、ディスプレイで引き寄せられたホコリによって、背板が他の箇所より汚れた場合であっても、この背板を取り外すことによって、当該背板を洗う等して汚れを除去することができる。
【００２１】
したがって、汚れやすい背板のみを取り外して清掃することができない場合と比較して、部分的な汚れによる外観品質の低下を防止することができる。
【００２２】
また、請求項３のパソコンラックにおいては、パソコンやディスプレイ等のコードを、背板の裏面に設けられたコード巻き付け部に巻き付けて保持することによって、当該コードの不用意な垂れ下がりを防止することができる。
【００２３】
さらに、請求項４のパソコンラックでは、円筒状のコード巻き付け部が設けられた背板の表面には、前記コード巻き付け部に適合した円形の窪みが形成されており、前記コード巻き付け部を形成する際に生じる円形のひけを、目立たなくする効果を得ることができる。
【００２４】
これにより、外観品質を高めることができるとともに、デザイン性の向上を図ることができる。
【００２５】
加えて、請求項５のパソコンラックにあっては、背板を、ラック本体に設けられた一対の金属製のパイプの間に架橋した状態で設けることによって、両パイプを備えたラック本体を、前記背板によって補強することができる。これにより、ラック本体の剛性アップを図ることができる。
【００２６】
また、前記背板にコードを巻き付けた際には、金属製の前記パイプによるシールド効果を得ることができる。これにより、前記コードへのノイズの混入を防止することができる。
【発明を実施するための最良の形態】
【００２７】
以下、本発明の一実施の形態を図に従って説明する。図１は、本実施の形態にかかるパソコンラック１を示す図であり、該パソコンラック１は、パーソナルコンピュータ（以下：パソコン）を使用する際に用いられるものである。
【００２８】
このパソコンラック１のラック本体１１は、金属パイプによってフレーム状に形成されている。このラック本体１１は、図１及び図２に示すように、キャスター１２，・・・が設けられた金属パイプ製の脚部１３と、該脚部１３の左右側部に立設された金属パイプ製の側部パイプ１４，１４と、前記脚部１３の後部における中央部に離間して立設された一対の金属パイプ製の後部パイプ１５，１５とによって構成されている。
【００２９】
前記脚部１３には、ボードが固定されており、下部棚部２１が形成されている。また、前記両側部パイプ１４，１４は、ボードを挿通しており、該ボードは、前記両側部パイプ１４，１４の中央部に設けられた支持アーム２２，２２によって支持されている。これにより、当該ラック本体１１の中央部には、パソコン本体やキーボードが載置される主となる第１載置部としての中棚部２３が形成されている。そして、両側部パイプ１４，１４及び前記後部パイプ１５，１５の上端にも、ボードが固定されており、当該ラック本体１１の上部には、プリンタなどが載置される上部棚部２４が形成されている。
【００３０】
前記後部パイプ１５，１５には、前記中棚部２３より高位置に、支持アーム３１，３１が固定されており、該支持アーム３１，３１には、ボードが固定されている。これにより、当該ラック本体１１には、前記中棚部２３より上方へ離間した部位に、ＣＲＴディスプレイや液晶ディスプレイを載置する第２載置部としてのディスプレイ載置部３２が形成されている。
【００３１】
また、上下に延在した一対の金属パイプである前記後部パイプ１５，１５には、前記下部棚部２１から前記中棚部２３までの間と、前記ディスプレイ載置部３２から前記上部棚部２４までの間に、背板４１，４１が着脱自在に設けられており、上部に配置された背板４１は、前記ディスプレイ載置部３２の裏側に位置している。
【００３２】
両背板４１，４１は、合成樹脂によって同形状に形成されている。この背板４１は、図３にも示すように、長方形状に形成された基部４２と、該基部４２の周縁部に設けられたフランジ４３とによって構成されている。前記基部４２の上縁及び下縁には、円弧状の切欠部４４，４４が形成されており、当該切欠部４４からコードを挿通できるように構成されている。
【００３３】
また、前記背板４１の上端及び下端を形成する前記フランジ４３部分には、左右側部寄りに円弧状のパイプ挿入部５１，５１が切欠形成されている。このパイプ挿入部５１，５１は、前記後部パイプ１５，１５を挿入できる大きさに形成されており、その縁部には、内側へ突出する爪５２，５２が形成されている。これにより、前記各後部パイプ１５，１５を、対応するパイプ挿入部５１，５１の開口側より抜き差し自在に挿入可能とするとともに、挿入時には、前記爪部５２，５２が前記後部パイプ１５，１５の外周部と係合することで、当該背板４１の前記後部パイプ１５，１５からの不用意な離脱を防止できるように構成され、前記背板４１を、前記両パイプ１５，１５間に架橋した状態で取り付けられるように構成されている。
【００３４】
前記背板４１の裏面６１には、図３の（ｂ）に示したように、コードを巻き付けて保持する為のコード巻き付け部６２，６２が上下の二箇所に設けられている。各コード巻き付け部６２，６２は、円筒状に形成されており、その端部には、上方及び下方へ延出する舌片６３，６３が設けられている。これより、両コード巻き付け部６２，６２に、例えばディスプレイ用のコードを巻き付けられるように構成されており、巻き付けられたコードが前記舌片６３，・・・によって解けないように構成されている。
【００３５】
そして、前記各コード巻き付け部６２，６２が設けられた前記背板４１の表面７１側の部位には、図３の（ａ）に示したように、前記コード巻き付け部６２に適合した大きさの円形の窪み７２，７２が設けられている。各窪み７２，７２は、その周縁部が、円筒状の前記コード巻き付け部６２，６２と一致する位置に配置されており、当該背面４１を樹脂成形する際に、前記コード巻き付け部６２，６２によって生じるひけが目立たないように構成されている。
【００３６】
以上の構成にかかる本実施の形態において、ディスプレイ載置部３２の裏側に設けられた背板４１には、ディスプレイで引き寄せられたホコリが付着し易く、当該パソコンラック１は、この背板４１が、他の箇所と比較して、汚れ易い。
【００３７】
ここで、この背板４１は、ラック本体１１に着脱自在に設けられており、この背板４１が汚れた際には、取り外すことができる。これにより、取り外された背板４１を洗うことによって、汚れを除去することができる。
【００３８】
したがって、汚れやすい背板４１のみを取り外して清掃することができない場合と比較して、部分的な汚れによるラック本体１全体の外観品質の低下を防止することができる。
【００３９】
また、このパソコンラック１では、パソコンやディスプレイ等のコードを、前記背板４１の裏面に設けられたコード巻き付け部６２，６２に巻き付けて保持することができる。これにより、当該コードの不用意な垂れ下がりを防止することができる。
【００４０】
さらに、円筒状の前記コード巻き付け部６２，６２が設けられた前記背板４１の表面７１には、前記コード巻き付け部６２，６２に適合した円形の窪み７２，７２が形成されている。このため、前記コード巻き付け部６２，６２を形成する際に生じる円形のひけを、目立たなくすることができる。
【００４１】
これにより、外観品質を高めることができるとともに、デザイン性の向上を図ることができる。
【００４２】
加えて、前記背板４１は、ラック本体１１に設けられた一対の金属パイプからなる後部パイプ１５，１５間に架橋した状態で取り付けられている。これにより、前記両後部パイプ１５，１５を備えたラック本体１１を、前記背板４１によって補強することができる。これにより、ラック本体１１の剛性アップを図ることができる。
【００４３】
また、前記背板４１にコードを巻き付けた際には、金属パイプからなる前記後部パイプ１５，１５によるシールド効果を得ることができる。これにより、前記コードへのノイズの混入を防止することができる。
【図面の簡単な説明】
【００４４】
【図１】本発明の一実施の形態を示す側面図である。
【図２】同実施の形態の正面図である。
【図３】同実施の形態の背板の要部を示す図で、（ａ）は正面から見た斜視図であり、（ｂ）は裏面から見た斜視図である。
【符号の説明】
【００４５】
１    パソコンラック
１１    ラック本体
１５    後部パイプ
２３    中棚部
３２    ディスプレイ載置部
４１    背板
６１    裏面
６２    コード巻き付け部
７１    表面
７２    窪み
【図１】
2005237399.tif 000003
【図２】
2005237399.tif 000004
【図３】
2005237399.tif 000005